【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
キード変調を用いて遠隔装置と誘導電源との間でデータ通信を行う方法であって、
可変周波数電力伝送信号を通じて誘導電力を前記誘導電源から受け取ることと、
ビットのデータストリームを固定周波数通信信号に符号化することと、
通信用送信機の負荷をトグルすることによって前記可変周波数電力伝送信号における前記固定周波数通信信号の変調を行うことと、を備え、前記データストリームの各ビットは、前記可変周波数電力伝送信号に対する複数の変調によって表される方法。
【請求項２】
誘導電源から遠隔装置に電力を伝送するとともに前記遠隔装置から前記誘導電源にデータを送信するための遠隔装置であって、
可変周波数電力伝送信号を受信するのに適合した電力受信機と、
ビットのデータストリームを固定周波数通信信号に符号化するのに適合したコントローラと、
前記可変周波数電力伝送信号における前記固定周波数通信信号の変調を行うために負荷を選択的にトグルするのに適合した通信用送信機と、を備え、前記データストリームの各ビットは、前記可変周波数電力伝送信号に対する複数の変調によって表される遠隔装置。
【請求項３】
前記誘導電源は、前記可変周波数電力伝送信号から前記データストリームを復号する検出回路を有する請求項２に記載の遠隔装置。
【請求項４】
誘導電源から遠隔装置に電力を伝送するとともにキード変調を用いて遠隔装置と誘導電源との間でデータ通信を行うためのシステムであって、
可変周波数電力伝送信号を受信するのに適合した電力受信機と、
ビットのデータストリームを固定周波数通信信号に符号化するのに適合したコントローラと、
前記可変周波数電力伝送信号における前記固定周波数通信信号の変調を行うために負荷を選択的にトグルするのに適合した通信用送信機と、を備え、前記データストリームの各ビットは、前記可変周波数電力伝送信号に対する複数の変調によって表されるシステム。
【請求項５】
前記遠隔装置は、前記遠隔装置がキード変調を用いてデータを前記誘導電源に送信するような前記通信用送信機を有し、前記誘導電源は、前記可変周波数電力伝送信号から前記データストリームを復号する検出回路を有する請求項４に記載のシステム。
【請求項６】
前記誘導電源は、前記誘導電源がキード変調を用いてデータを前記誘導電源に送信するような前記通信用送信機を有し、前記遠隔装置は、前記可変周波数電力伝送信号から前記データストリームを復号する検出回路を有する請求項４に記載のシステム。
【請求項７】
前記通信用送信機は、前記負荷を変調するように構成され、前記変調は、前記可変周波数電力伝送信号の分数である速度で前記通信用送信機の前記負荷をトグルすることを含む請求項１に記載の方法。
【請求項８】
前記速度は、前記可変周波数電力伝送信号の半分である請求項７に記載の方法。
【請求項９】
前記可変周波数電力伝送信号の一つおきの波形の大きさを増大するために前記負荷をトグルする請求項７に記載の方法。
【請求項１０】
前記可変周波数電力伝送信号の一つおきの波形のピーク又はタフの大きさを増大するために前記負荷をトグルする請求項７に記載の方法。
【請求項１１】
前記変調は、偶数の波形ごと又は奇数の波形ごとの前記負荷のトグルを含む請求項９と１０のうちのいずれか一項に記載の方法。
【請求項１２】
前記変調は、（ａ）前記可変周波数電力伝送信号の偶数の分数で動作する変調クロック及び（ｂ）前記固定周波数通信信号の排他的ＯＲをとることによって形成される変調制御信号を生成することを含む請求項１及び７から１０のうちのいずれか一項に記載の方法。
【請求項１３】
前記可変周波数電力伝送信号をタイムスライスするとともに二つのタイムスライス間のＤＣオフセットを比較することによって前記可変周波数電力伝送信号から前記データストリームを復号することを更に含む請求項１及び７から１０のうちのいずれか一項に記載の方法。
【請求項１４】
前記通信用送信機は、前記可変周波数電力伝送信号の高調波で位相同期した変調速度で前記負荷を変調するように構成される請求項１に記載の方法。
【請求項１５】
前記速度は、前記可変周波数電力伝送信号の４倍である請求項１４に記載の方法。
【請求項１６】
前記変調は、
（ａ）前記変調速度で動作する変調クロック及び（ｂ）前記固定周波数通信信号の排他的ＯＲをとることによって形成された第１の変調制御信号を生成することと、
（ａ）前記変調速度で動作する変調クロック及び（ｂ）前記固定周波数通信信号の排他的ＯＲの逆をとることによって形成された第２の変調制御信号を生成することと、
前記可変周波数電力伝送信号の正の半分の間に前記第１の変調制御信号に従って前記変調負荷をトグルすることと、
前記可変周波数電力伝送信号の負の半分の間に前記第２の変調制御信号に従って前記変調負荷をトグルすることと、
を有する請求項１４に記載の方法。
【請求項１７】
前記可変周波数電力伝送信号をタイムスライスするとともにタイムスライス間のＤＣオフセットを識別することによって前記可変周波数電力伝送信号から前記データストリームを復号することを更に備える請求項１４から１６のうちのいずれか一項に記載の方法。
【請求項１８】
前記通信用送信機は、二つの異なる周波数の一方で前記負荷を変調するように構成される請求項１に記載の方法。
【請求項１９】
前記データストリームのハイビットを、第１の周波数で変調することによって送信し、前記データストリームのロービットを、第２の周波数で変調することによって送信する請求項１８に記載の方法。
【請求項２０】
前記第１の周波数は、前記可変周波数電力伝送信号の１／８であり、前記第２の周波数は、前記可変周波数電力伝送信号の１／１０である請求項１９に記載の方法。
【請求項２１】
前記可変周波数電力伝送信号を周波数弁別器に送ることによって前記可変周波数電力伝送信号から前記データストリームを復号することを更に備える請求項１８から２０のうちのいずれか一項に記載の方法。
【請求項２２】
前記負荷は、抵抗素子、容量性素子及び誘導性素子の少なくとも一つを有する請求項１及び７から１０のうちのいずれか一項に記載の方法。
【請求項２３】
前記通信用送信機は、通信反転(communication inversion)を回避するよう前記可変周波数電力伝送信号における前記固定周波数通信信号の変調を行う請求項１及び７から１０のうちのいずれか一項に記載の方法。
【請求項２４】
誘電電力を遠隔装置に伝送するとともに後方散乱変調によって前記遠隔装置からデータを受信する誘導電源であって、
可変周波数電力伝送信号を送信する電力送信機と、
前記可変周波数電力伝送信号における変調を検出するように構成された無線通信受信機と、を備え、前記誘導電源は、前記可変周波数電力伝送信号からデータストリームを復号し、前記データストリームの各ビットは、前記可変周波数電力伝送信号に対する複数の変調によって表される誘導電源。
【請求項２５】
前記誘導電源は、前記可変周波数電力伝送信号をタイムスライスするとともにタイムスライス間のＤＣオフセットを比較することによって前記データストリームを復号する請求項２４に記載の誘導電源。
【請求項２６】
前記誘導電源は、第１の増幅器チェーン及び第２の増幅器チェーンを有する検出回路を有し、
前記第１の増幅器チェーンは、（ａ）前記可変周波数電力伝送信号の偶数サイクルのバッファコピー及び（ｂ）前記可変周波数電力伝送信号の奇数サイクルの反転されたバッファコピーの平均をとり、
前記第２の増幅器チェーンは、（ａ）前記可変周波数電力伝送信号の奇数サイクルのバッファコピー及び（ｂ）前記可変周波数電力伝送信号の偶数サイクルの反転されたバッファコピーの平均をとり、
前記第１の増幅器チェーンの出力及び前記第２の増幅器チェーンの出力の比較に応答して、前記検出回路は、前記データストリームを表す固定周波数通信信号を出力する請求項２４に記載の誘導電源。
【請求項２７】
前記誘導電源は、前記可変周波数電力伝送信号の偶数サイクルのバッファコピーのピークを検出する第１の増幅器チェーン及び前記可変周波数電力伝送信号の奇数サイクルのバッファコピーのピークを検出する第２の増幅器チェーンを有する第１の検出回路を有し、
前記第１の増幅器チェーンの出力及び前記第２の増幅器チェーンの出力の比較に応答して、前記第１の検出回路は、第１のレベルシフト出力を出力する請求項２４に記載の誘導電源。
【請求項２８】
前記誘導電源は、前記可変周波数電力伝送信号の偶数サイクルのバッファ反転コピーのタフを検出する第１のタフ増幅器チェーン及び前記可変周波数電力伝送信号の奇数サイクルのバッファ反転コピーのタフを検出する第２のタフ増幅器チェーンを有する第２の検出回路を有し、
前記第１のタフ増幅器チェーンの出力及び前記第２のタフ増幅器チェーンの出力の比較に応答して、前記第２の検出回路は、第２のレベルシフト出力を出力し、
前記データストリームを表す固定周波数通信信号を形成するために前記第１のレベルシフト出力及び前記第２のレベルシフト出力を組み合わせる請求項２７に記載の誘導電源。
【請求項２９】
前記固定周波数通信信号は、前記データストリームの２位相符号化表示である請求項２６と２８のうちのいずれか一項に記載の誘導電源。
【請求項３０】
前記誘導電源は、前記可変周波数電力伝送信号を周波数弁別器に送ることによって前記可変周波数電力伝送信号から前記データストリームを復号する請求項２４に記載の誘導電源。
【請求項３１】
前記通信用送信機は、前記負荷を変調するように構成され、前記負荷は、前記可変周波数電力伝送信号の分数である速度で前記通信用送信機の前記負荷をトグルすることによって変調される請求項２に記載の遠隔装置。
【請求項３２】
前記速度は、前記可変周波数電力伝送信号の半分である請求項３１に記載の遠隔装置。
【請求項３３】
前記負荷は、前記可変周波数電力伝送信号の一つおきの波形の大きさを増大するためにトグルされる請求項３１に記載の遠隔装置。
【請求項３４】
前記負荷は、前記可変周波数電力伝送信号の一つおきの波形のピーク又はタフの大きさを増大するためにトグルされる請求項３１に記載の遠隔装置。
【請求項３５】
前記変調は、偶数の波形ごと又は奇数の波形ごとの前記負荷のトグルを含む請求項３３と３４のうちのいずれか一項に記載の遠隔装置。
【請求項３６】
前記通信用送信機は、（ａ）前記可変周波数電力伝送信号の偶数の分数で動作する変調クロック及び（ｂ）前記固定周波数通信信号の排他的ＯＲをとることによって形成される変調制御信号を生成するように構成される請求項２及び３１から３４のうちのいずれか一項に記載の遠隔装置。
【請求項３７】
前記誘導電源は、前記可変周波数電力伝送信号をタイムスライスするとともに二つのタイムスライス間のＤＣオフセットを比較することによって前記可変周波数電力伝送信号から前記データストリームを復号するように構成される請求項２及び３１から３４のうちのいずれか一項に記載の遠隔装置。
【請求項３８】
前記通信用送信機は、前記可変周波数電力伝送信号の高調波で位相同期した変調速度で前記負荷を変調するように構成される請求項２と３のうちのいずれか一項に記載の遠隔装置。
【請求項３９】
前記速度は、前記可変周波数電力伝送信号の４倍である請求項３８に記載の遠隔装置。
【請求項４０】
前記通信用送信機は、
（ａ）前記変調速度で動作する変調クロック及び（ｂ）前記固定周波数通信信号の排他的ＯＲをとることによって形成された第１の変調制御信号を生成し、
（ａ）前記変調速度で動作する変調クロック及び（ｂ）前記固定周波数通信信号の排他的ＯＲの逆をとることによって形成された第２の変調制御信号を生成し、
前記可変周波数電力伝送信号の正の半分の間に前記第１の変調制御信号に従って前記変調負荷をトグルし、
前記可変周波数電力伝送信号の負の半分の間に前記第２の変調制御信号に従って前記変調負荷をトグルするように構成される請求項３８に記載の遠隔装置。
【請求項４１】
前記通信用送信機は、前記可変周波数電力伝送信号をタイムスライスするとともにタイムスライス間のＤＣオフセットを識別することによって前記可変周波数電力伝送信号から前記データストリームを復号するように構成される請求項３８に記載の遠隔装置。
【請求項４２】
前記通信用送信機は、二つの異なる周波数の一方で前記負荷を変調するように構成される請求項２と３のうちのいずれか一項に記載の遠隔装置。
【請求項４３】
前記データストリームのハイビットを、第１の周波数で変調することによって送信し、前記データストリームのロービットを、第２の周波数で変調することによって送信する請求項４２に記載の遠隔装置。
【請求項４４】
前記第１の周波数は、前記可変周波数電力伝送信号の１／８であり、前記第２の周波数は、前記可変周波数電力伝送信号の１／１０である請求項４３に記載の遠隔装置。
【請求項４５】
前記誘導電源は、前記可変周波数電力伝送信号を周波数弁別器に送ることによって前記可変周波数電力伝送信号から前記データストリームを復号するように構成される請求項４２に記載の遠隔装置。
【請求項４６】
前記負荷は、抵抗素子、容量性素子及び誘導性素子の少なくとも一つを有する請求項２と３のうちのいずれか一項に記載の遠隔装置。
【請求項４７】
前記通信用送信機は、通信反転(communication inversion)を回避するよう前記可変周波数電力伝送信号における前記固定周波数通信信号の変調を行う請求項２に記載の遠隔装置。
【請求項４８】
前記通信用送信機は、前記負荷を変調するように構成され、前記負荷は、前記可変周波数電力伝送信号の分数である速度で前記通信用送信機の前記負荷をトグルすることによって変調される請求項４に記載のシステム。
【請求項４９】
前記速度は、前記可変周波数電力伝送信号の半分である請求項４８に記載のシステム。
【請求項５０】
前記負荷は、前記可変周波数電力伝送信号の一つおきの波形の大きさを増大するためにトグルされる請求項４８に記載のシステム。
【請求項５１】
前記負荷は、前記可変周波数電力伝送信号の一つおきの波形のピーク又はタフの大きさを増大するためにトグルされる請求項４８に記載のシステム。
【請求項５２】
前記変調は、偶数の波形ごと又は奇数の波形ごとの前記負荷のトグルを含む請求項５０と５１のうちのいずれか一項に記載のシステム。
【請求項５３】
前記通信用送信機は、（ａ）前記可変周波数電力伝送信号の偶数の分数で動作する変調クロック及び（ｂ）前記固定周波数通信信号の排他的ＯＲをとることによって形成される変調制御信号を生成するように構成される請求項４及び４８から５１のうちのいずれか一項に記載のシステム。
【請求項５４】
前記誘導電源は、前記可変周波数電力伝送信号をタイムスライスするとともに二つのタイムスライス間のＤＣオフセットを比較することによって前記可変周波数電力伝送信号から前記データストリームを復号するように構成される請求項４及び４８から５１のうちのいずれか一項に記載のシステム。
【請求項５５】
前記通信用送信機は、前記可変周波数電力伝送信号の高調波で位相同期した変調速度で前記負荷を変調するように構成される請求項４に記載のシステム。
【請求項５６】
前記速度は、前記可変周波数電力伝送信号の４倍である請求項５５に記載のシステム。
【請求項５７】
前記通信用送信機は、
（ａ）前記変調速度で動作する変調クロック及び（ｂ）前記固定周波数通信信号の排他的ＯＲをとることによって形成された第１の変調制御信号を生成し、
（ａ）前記変調速度で動作する変調クロック及び（ｂ）前記固定周波数通信信号の排他的ＯＲの逆をとることによって形成された第２の変調制御信号を生成し、
前記可変周波数電力伝送信号の正の半分の間に前記第１の変調制御信号に従って前記変調負荷をトグルし、
前記可変周波数電力伝送信号の負の半分の間に前記第２の変調制御信号に従って前記変調負荷をトグルするように構成される請求項５５に記載のシステム。
【請求項５８】
前記通信用送信機は、前記可変周波数電力伝送信号をタイムスライスするとともにタイムスライス間のＤＣオフセットを識別することによって前記可変周波数電力伝送信号から前記データストリームを復号するように構成される請求項５５に記載のシステム。
【請求項５９】
前記通信用送信機は、二つの異なる周波数の一方で前記負荷を変調するように構成される請求項４に記載の請求項５５に記載のシステム。
【請求項６０】
前記データストリームのハイビットを、第１の周波数で変調することによって送信し、前記データストリームのロービットを、第２の周波数で変調することによって送信する請求項５９に記載のシステム。
【請求項６１】
前記第１の周波数は、前記可変周波数電力伝送信号の１／８であり、前記第２の周波数は、前記可変周波数電力伝送信号の１／１０である請求項６０に記載のシステム。
【請求項６２】
前記誘導電源は、前記可変周波数電力伝送信号を周波数弁別器に送ることによって前記可変周波数電力伝送信号から前記データストリームを復号するように構成される請求項５９に記載のシステム。
【請求項６３】
前記負荷は、抵抗素子、容量性素子及び誘導性素子の少なくとも一つを有する請求項４に記載のシステム。
【請求項６４】
前記通信用送信機は、通信反転(communication inversion)を回避するよう前記可変周波数電力伝送信号における前記固定周波数通信信号の変調を行う請求項４に記載のシステム。